(57)【要約】      （修正有）【課題】扉体が回動しながら移動して間口を開閉する扉装置に関するもので、非常時にあっても、扉体を開くことのできる扉装置を提供する。【解決手段】戸枠と、戸枠の戸尻側に回動自在に保持される扉支持枠と、扉支持枠に回動自在に保持される扉体３と、扉体３の上端に設けられたガイド部材を開閉方向に案内するレール部材等からなり、扉体３が回動しながら移動して間口を開閉することができる扉装置において、レール部材の戸尻側端部は戸枠に回動自在で、戸先側端部は戸枠に着脱自在に連結され、非常時、室外側からの操作によってレール部材の戸先側端部と戸枠の連結状態が解除され、扉体３及び扉支持枠をレール部材と共に室外側に回動可能としたものである。【選択図】図１７
2008075369.tif 000002
【特許請求の範囲】
【請求項１】
戸枠と、戸枠の戸尻側に回動自在に保持される扉支持枠と、扉支持枠に回動自在に保持される扉体と、扉体の上端に設けられたガイド部材を開閉方向に案内するレール部材等からなり、扉体が回動しながら移動して間口を開閉することができる扉装置において、レール部材の戸尻側端部は戸枠に回動自在で、戸先側端部は戸枠に着脱自在に連結され、非常時、室外側からの操作によってレール部材の戸先側端部と戸枠の連結状態が解除され、扉体及び扉支持枠をレール部材と共に室外側に回動可能としたことを特徴とする扉装置。
【請求項２】
戸枠と、戸枠の戸尻側に回動自在に保持される扉支持枠と、扉支持枠に回動自在に保持される扉体と、扉体の上端に設けられたガイド部材を開閉方向に案内するレール部材と、扉体の開放方向への移動を停止させる戸当たり体等からなり、扉体が回動しながら移動して間口を開閉することができる扉装置において、レール部材の戸尻側端部は戸枠に回動自在で、戸先側端部は戸枠に着脱自在に連結され、非常時、室外側からの操作によってレール部材の戸先側端部と戸枠の連結状態が解除され、扉体及び扉支持枠がレール部材と共に室外側に回動するとき、前記戸当たり体は扉体等の開放が可能な位置に移動することを特徴とする扉装置。
【請求項３】
戸枠と、戸枠の戸尻側に回動自在に保持される扉支持枠と、扉支持枠に回動自在に保持される扉体と、扉体の上端に設けられたガイド部材を開閉方向に案内するレール部材と、扉体の開放方向への移動を停止させる戸当たり体等からなり、扉体が回動しながら移動して間口を開閉することができる扉装置において、レール部材の戸尻側端部は戸枠に回動自在で、戸先側端部は戸枠に着脱自在に連結され、非常時、室外側からの操作によってレール部材の戸先側端部と戸枠の連結状態が解除され、扉体及び扉支持枠がレール部材と共に室外側に回動するとき、前記戸当たり体は扉体等の開放が可能な姿勢に変形することを特徴とする扉装置。
【請求項４】
戸枠と、戸枠の戸尻側に回動自在に保持される扉支持枠と、扉支持枠に回動自在に保持される扉体と、扉体の上端に設けられたガイド部材を開閉方向に案内するレール部材と、
扉体の開放方向への移動を停止させる戸当たり体等からなり、扉体が回動しながら移動して間口を開閉することができる扉装置において、レール部材の戸尻側端部は戸枠に回動自在で、戸先側端部はラッチ部材を介して戸枠に係脱自在に保持され、ラッチ部材は、室外側からの操作によってレール部材と戸枠の係止状態を解除し、室外側方向に回動自在に扉支持枠の室外側に位置して戸枠の高さ方向ほぼ全幅に渡って設けられた戸当たり取付基板の上下端部に戸当たり体が取りつけられ、扉体及び扉支持枠がレール部材と共に室外側に回動するとき、戸当たり体は戸当たり体取付用基板の室外側方向への回動によって、扉体等の開放が可能な位置に移動することを特徴とする扉装置。
【発明の詳細な説明】
【技術分野】
【０００１】
本発明は、扉体が回動しながら移動して出入口を開閉する扉装置に関するものである。
【背景技術】
【０００２】
従来、この種の扉装置は、壁面に形成された間口の上部に笠木を設け、該笠木には上レールを固定し、該上レールを移動する吊車には扉体を吊設し、又、間口の片側にはコ字型をした枠体を旋回可能に取付するとともに、枠体の上下アームの先端を扉体の上下端に軸を介して連結し、扉体が完全に開口した場合、扉体の下端が当たるストッパー（本発明では戸当たり体）を壁面側に設けていた。（例えば、特許文献１参照。）
【０００３】
そして、この種の扉は洗面所等の狭い空間に使用される事が多く、室外に突出して開くと通行者等の邪魔になる事から、通常、扉体の幅の３分の２程度が室内側に突出しながら回動移動して開放状態となる場合が多い。
この場合、高齢者や病人が、発作あるいは急病のため、室内側で扉体に凭れて倒れていたり、あるいは、扉体の近くで倒れていたりすると、扉体を室内側に突出させて開くことが出来なくなり、その結果、内部の高齢者や急病人を、手際よく救出することが出来なかった。
そのため、上記非常時には、通常の扉体の動きとは関係なく、室外側から扉体を開くことができる扉装置が要望されていた。
【０００４】
【特許文献１】特許第３４４０４４４号公報
【発明の開示】
【発明が解決しようとする課題】
【０００５】
本発明は、従来の問題点に鑑みて、非常時でも、扉体を開くことのできる扉装置を提供することを課題とする。
【課題を解決するための手段】
【０００６】
そこで、上記課題を解決する為、本発明が第１の手段として構成したところは、戸枠と、戸枠の戸尻側に回動自在に保持される扉支持枠と、扉支持枠に回動自在に保持される扉体と、扉体の上端に設けられたガイド部材を開閉方向に案内するレール部材等からなり、扉体が回動しながら移動して間口を開閉することができる扉装置において、レール部材の戸尻側端部は戸枠に回動自在で、戸先側端部は戸枠に着脱自在に連結され、非常時、室外側からの操作によってレール部材の戸先側端部と戸枠の連結状態が解除され、扉体及び扉支持枠をレール部材と共に室外側に回動可能としたものである。
【０００７】
次に本発明が第２の手段として構成したところは、戸枠と、戸枠の戸尻側に回動自在に保持される扉支持枠と、扉支持枠に回動自在に保持される扉体と、扉体の上端に設けられたガイド部材を開閉方向に案内するレール部材と、扉体の開放方向への移動を停止させる戸当たり体等からなり、扉体が回動しながら移動して間口を開閉することができる扉装置において、レール部材の戸尻側端部は戸枠に回動自在で、戸先側端部は戸枠に着脱自在に連結され、非常時、室外側からの操作によってレール部材の戸先側端部と戸枠の連結状態が解除され、扉体及び扉支持枠がレール部材と共に室外側に回動するとき、前記戸当たり体は扉体等の開放が可能な位置に移動するものである。
【０００８】
次に本発明が第３の手段として構成したところは、戸枠と、戸枠の戸尻側に回動自在に保持される扉支持枠と、扉支持枠に回動自在に保持される扉体と、扉体の上端に設けられたガイド部材を開閉方向に案内するレール部材と、扉体の開放方向への移動を停止させる戸当たり体等からなり、扉体が回動しながら移動して間口を開閉することができる扉装置において、レール部材の戸尻側端部は戸枠に回動自在で、戸先側端部は戸枠に着脱自在に連結され、非常時、室外側からの操作によってレール部材の戸先側端部と戸枠の連結状態が解除され、扉体及び扉支持枠がレール部材と共に室外側に回動するとき、前記戸当たり体は扉体等の開放が可能な姿勢に変形するものである。
【０００９】
次に本発明が第４の手段として構成したところは、戸枠と、戸枠の戸尻側に回動自在に保持される扉支持枠と、扉支持枠に回動自在に保持される扉体と、扉体の上端に設けられたガイド部材を開閉方向に案内するレール部材と、扉体の開放方向への移動を停止させる戸当たり体等からなり、扉体が回動しながら移動して間口を開閉することができる扉装置において、レール部材の戸尻側端部は戸枠に回動自在で、戸先側端部はラッチ部材を介して戸枠に係脱自在に保持され、ラッチ部材は、室外側からの操作によってレール部材と戸枠の係止状態を解除し、室外側方向に回動自在に扉支持枠の室外側に位置して戸枠の高さ方向ほぼ全幅に渡って設けられた戸当たり取付基板の上下端部に戸当たり体が取りつけられ、扉体及び扉支持枠がレール部材と共に室外側に回動するとき、戸当たり体は戸当たり体取付用基板の室外側方向への回動によって、扉体等の開放が可能な位置に移動するものである。
【発明の効果】
【００１０】
請求項１に記載の発明によると、通常時、扉体の上端に設けられたガイド部材はレール部材に案内されるので、扉体は回動しながら移動して間口を開放することができる。しかしながら、レール部材の戸尻側端部が戸枠に回動自在に連結され、戸先側端部は戸枠に着脱自在に連結されているので、戸枠とレール部材の戸先側端部の連結状態が解除されれば、レール部材は、扉体を伴って室外側に回動するので、通常使用の扉体の開放動作とは異なった動作で、扉体を開放することが出来る。
【００１１】
請求項２に記載の発明によると、通常時、扉体の上端に設けられたガイド部材はレール部材に案内されて、扉体は回動しながら移動し、やがて、戸当たり体によって開放方向への移動が停止され、間口を開放することができる。しかしながら、レール部材の戸尻側端部が戸枠に回動自在に連結され、戸先側端部は戸枠に着脱自在に連結されているので、戸枠とレール部材の戸先側端部の連結状態が解除されれば、レール部材は、扉体を伴って室外側に回動し、通常時は扉体の戸当たりとしての機能を発揮する戸当たり体が非常時には、扉体の開放を妨げない位置に移動するので、戸当たり体に影響されることがなく、レール部材と共に扉体の開放操作を容易に行なうことが出来る。
【００１２】
請求項３に記載の発明によると、通常時、扉体の上端に設けられたガイド部材はレール部材に案内されて、扉体は回動しながら移動し、やがて、戸当たり体によって開放方向への移動が停止され、間口を開放することができる。しかしながら、レール部材の戸尻側端部が戸枠に回動自在に連結され、戸先側端部は戸枠に着脱自在に連結されているので、戸枠とレール部材の戸先側端部の連結状態が解除されれば、レール部材は、扉体を伴って室外側に回動し、通常時は扉体の戸当たりとしての機能を発揮する戸当たり体が非常時には、扉体の開放を妨げない姿勢に変形するので、戸当たり体に影響されることがなく、レール部材と共に扉体の開放操作を容易に行なうことが出来る。
【００１３】
請求項４に記載の発明によると、通常時、扉体の上端に設けられたガイド部材はレール部材に案内されて、扉体は回動しながら移動し、やがて、戸当たり体によって開放方向への移動が停止され、間口を開放することができる。しかしながら、レール部材の戸尻側端部が戸枠に回動自在に連結され、戸先側端部は戸枠にラッチ部材を介して戸枠に係脱自在に連結されているので、ラッチ部材を室外側からの操作によって、容易に戸枠とレール部材の戸先側端部の係止状態が解除でき、レール部材は、扉体を伴って室外側に回動し、通常時は扉体の戸当たりとしての機能を発揮する戸当たり体が、戸枠に設けられた室外側方向に回動可能な戸当たり体取付用基板にとりつけられているので、非常時に、戸当たり体取付用基板の回動によって、戸当たり体は扉体の開放を妨げない位置に移動するので、戸当たり体に影響されることがなく、レール部材と共に扉体の開放操作を簡単に行なうことが出来る。
【発明を実施するための最良の形態】
【００１４】
本発明は、戸枠と、戸枠の戸尻側に回動自在に保持される扉支持枠と、扉支持枠に回動自在に保持される扉体と、扉体の上端に設けられたガイド部材を開閉方向に案内するレール部材と、扉体の開放方向への移動を停止させる戸当たり体等からなり、扉体が回動しながら移動して間口を開閉することができる扉装置において、レール部材の戸尻側端部は戸枠に回動自在で、戸先側端部はラッチ部材を介して戸枠に係脱自在に保持され、ラッチ部材は、室外側からの操作によってレール部材と戸枠の係止状態を解除し、室外側方向に回動自在に扉支持枠の室外側に位置して戸枠の高さ方向ほぼ全幅に渡って設けられた戸当たり取付基板の上下端部に戸当たり体が取りつけられ、扉体及び扉支持枠がレール部材と共に室外側に回動するとき、戸当たり体は戸当たり体取付用基板の室外側方向への回動によって、扉体等の開放が可能な位置に移動するものである。
【実施例】
【００１５】
以下、本発明の実施例を添付図面に基づいて詳述する。
図1は、本発明の閉鎖状態での正面図を示し、符号１は戸枠、符号２は戸枠１に回動自在に取り付けられた扉支持枠を示し、符号３は、扉支持枠２に回動自在に枢着された扉体、符号９は室内側に着脱自在に設けられた点検パネル、符号９０（図２に示す。）は室外側に設けられたランマパネル、符号８、８は戸枠１の室外側に設けられた戸当たり部材を示している。
【００１６】
戸枠1は、建物側の鉄骨にブラケットを介して固定された、閉鎖側縦枠１１と開放側縦枠１２と、閉鎖側縦枠１１と開放側縦枠１２との上端間に配設され、建物側の鉄骨にブラケットを介して固定された上枠１３より門形に形成されている。
以下、閉鎖側縦枠１１側を戸先側、開放側縦枠１２側を戸尻側、閉鎖側縦枠１１と開放側縦枠１２と上枠１３で囲まれた空間を間口として説明する。
閉鎖側縦枠１１は図１５に示すように、横断面扁平横向き略コ字型に形成され、室内側の間口側内面に、閉鎖時戸先側戸当たり１１１を有する閉鎖時戸先側戸当たり部１１０が上下方向全幅に渡って形成されて、間口側所定位置にレバーハンドル１１4のラッチ受け部材１１３が設けられている。
【００１７】
開放側縦枠１２は図１５に示すように、横断面扁平横向き略コ字型の基枠１２１と、基枠１２１の内面で高さ方向ほぼ全幅に渡って配設された内面補強枠１２２と、基枠１２１の室内側、室外側で間口側に突出し上下方向ほぼ全幅に渡って形成された室内側突縁１２３、室外側突縁１２４等より形成されている。
そして、開放側縦枠１２の上端部の間口側と下端部の間口側に、扉支持枠２を回動自在に保持する上部回動支持部材４と下部回動支持部材４０が設けられ、上部回動支持部材４に対応して、閉鎖側縦枠１１の上端部の間口側に上部保持部材５０が設けられ、上部回動支持部材４と上部保持部材５０間にレール部材６０が配設され、レール部材６０はランマパネル９０と点検パネル９によって隠蔽されている。
【００１８】
上枠１３は、室外側、室内側の下端部に、点検パネル用段部１３１と、ランマパネル用段部１３２を有する縦断面略コ字型に形成され、戸先側端部と戸尻側端部内面に取付られた逆L字型の連結金具１３０、１３０を介して、閉鎖側縦枠１１と開放側縦枠１２の上端部内面にネジ止め連結されている。
【００１９】
扉支持枠２は、上下端面を閉塞材にて閉塞した略角パイプ状の縦枠２１と、縦枠２１の上下端部から戸先側に突出する上下支持枠２２、２３より略コ字型に形成され、縦枠２１の上下端面に、前記上回動支持部材４に設けられる上回動支持軸４３１と、下部回動支持部材４０に形成された下回動支持軸４０１が嵌入し、上部回動支持部材４及び下部回動支持部材４０を介して、戸枠１に回動自在に保持されている。
【００２０】
上下支持枠２２、２３は、扉体３の幅寸法の略３分の１程度の長さに形成されており、戸先側端部で、扉体３を回動自在に支持している。
すなわち、扉体３の戸尻側端部から上支持枠２２にほぼ一致する寸法の上下端面に取り付けられた上下枢軸３１、３２と上下支持枠２２、２３は連結ナット３１０等にて回動自在に連結されている。
符号２１１は縦枠２１の戸先側面の室外側端部に取付金具２１２を介して上下方向に設けられた閉鎖時戸先側戸当たり１１１に対応する閉鎖時戸尻側戸当たりを示している。（図１５、図１６に示す。）
【００２１】
扉体３は、上記上枢軸３１が取付く位置と戸先側端部間のほぼ中間部に蓄力装置６を設け、蓄力装置６の上端にガイド部材５を連結している。符号１１５は扉体３の室内側面に取付けられた補助取手を示している。
ガイド部材５は、上端に開閉方向に所定間隔を有する２つのローラー５００、５００が、回転自在に取り付けられるローラー取付片５１と、ローラー取付片５１の室外側端部から下方に突出するレール支持材取付片５２と、レール支持材取付片５２の下端から室内側に突出する連結片５３と、ローラー取付片５１と連結片５３間に形成されたシリンダー当たり片５４より形成され、レール支持材取付片５２の室外側面には逆L字型のレール支持片５５が取付けられている。
そして、ローラー５００、５００は、後記するレール部材６０のガイド溝６０１の幅に一致する大きさに形成され、ガイド溝６０１内を摺動する事により、ガイド部材５は、ガイド溝６０１対し回動不能に案内される。
【００２２】
蓄力装置６は、ガイド部材５の連結片５３と連結されるセンター軸６１と、センター軸６１を回動自在に保持する保持筒６２と、保持筒６２の下端に設けられ、保持筒６２を扉本３に回動不能に連結される連結脚６３と、保持筒６２内に一端が係止された状態で収納されたスプリング（図示せず。）と、スプリングの他端を係止し、スプリングの回動力を調節すると共に、スプリングの回動力をセンター軸６１に伝達する回動力調節部材（図示せず。）より構成されている。
【００２３】
すなわち、実施例では、ガイド部材５と連結されたセンター軸６１は保持筒６２に回動自在に保持され、ガイド部材５がローラー５００、５００によってガイド溝６０１対し回動不能に案内されているので、扉体３が開放されるにしたがって、スプリングの反発回動力を強めながら、保持筒６２は扉体３と共に回動し、やがて、扉体３は開放状態となるが、扉体３に対する開放力が除去されると、蓄えられたスプリングの反発回動力は保持筒６２を扉体３と共に、扉体３を閉鎖する方向に回動させるので、扉体３は自閉する。
【００２４】
符号２０は、レール部材６０の室内側から取付金具２０１を介し、扉体３が閉鎖する時のガイド部材５の通過路に、レール部材６０の室内側から取付金具２０１を介して設けられたエアーシリンダーを示している。
エアーシリンダー２０は、ピストンロッドの先端に設けられた磁石が、前記ガイド部材のシリンダー当たり片５４に吸着した状態から、扉体３が開放されるに伴って、ピストンロッドが引き出され、最も伸長した状態で磁石の吸着が解除され、ピストンロッドは最も伸長した状態で維持される。
扉体３が開放された状態から自閉していくと、やがて、ピストンロッドの先端に設けられた磁石にガイド部材５のシリンダー当たり片５４が当接し、次に、ピストンロッドを縮小させながら（閉鎖スピードを減速させながら）移動し、扉体３が閉鎖される。この状態で、ピストンロッドの先端に設けられた磁石が、前記ガイド部材のシリンダー当たり片５４に吸着した状態となっている。
【００２５】
エアーシリンダ−２０、ガイド部材５、レール部材６０を隠蔽し、必要時には取外されて、内部の点検、修理を行えるようにした点検パネル９は、閉鎖側縦枠１１と開放側縦枠１２の室内側面とほぼ面一で、レール部材６０を隠蔽する上部隠蔽部９１と、閉鎖状態での扉支持体２の上支持枠２２の戸先側で、扉体３の上方を隠蔽し、上部隠蔽部９１よりやや室外側に位置する下部隠蔽部９２が一体となって構成され、閉鎖側縦枠１１と開放側縦枠１２の室内側内面上端部に戸尻側と戸先側に向かって突出した点検パネル取付座９３、９３に連結ネジにて着脱自在に取付けられている。
【００２６】
レール部材６０及び扉支持枠２をそれぞれの位置で回動自在に支持する上部回動支持部材４は、開放側縦枠１２の上部内面にネジ止め連結される側壁４１と、側壁４１の上下端部で内方に突出して形成された上下壁４２、４３より断面略コ字型に形成され、側壁４１には、上下方向に所定間隔を有して、取付高さの調節が若干可能なように上下方向の長孔４１０、４１０が形成され、上壁４２、下壁４３の室外側よりの端部には、前記レール部材６０の戸尻側端部を連結ピン６００にて回動自在に連結するための連結孔４００、４００が形成され、下壁４３の室内側よりの下面には扉支持枠２を回動自在に支持する為の上回動支持軸４３１が下方に向けて突設されている。
【００２７】
レール部材６０は、下面が開口する下向きコ字型の案内支持部材６０２と、案内支持部材６０２の上方に位置する上部補強部材６０４と、上部補強材６０４の室外側に固着され、ランマパネル９０がネジ止め連結される下端部を逆L字型としたランマパネル取付材６０３と、案内支持部材６０２とランマパネル取付材６０３と上部補強部材６０４の戸先側端面に固着されたラッチ係合部材６４と、戸尻側端面に固着された回動用連結部材６５より構成されている。
【００２８】
そして、案内支持部材６０２内に隙間調整部材６０５をネジ止めしてガイド溝６０１の幅を調節し、ガイド部材５のローラー５００、５００との隙間を最適なものとする。
ランマパネル９０は、前記ランマパネル取付材６０３に上下端部がネジ止め連結されるランマパネル裏面板９０１と、ランマパネル裏面板９０１と一体に室外側に設けられたランマパネル表面板９０２より構成されている。
すなわち、レール部材６０が室外側に回動した時、万一戸先側が垂れ下がっても、扉支持枠２に支持された扉体３に設けられたガイド部材５のレール支持片５５に、ランマパネル取付材６０３、及びランマパネル裏面板９０１の段部９０３が当接して、それ以上の垂れ下がりを防止する。
【００２９】
レール部材６０の戸尻側端部に設けられた回動用連結部材６５は、前記上部回動支持部材４の上壁４２、下壁４３間の内面上下に位置する上下回動用突壁６５１、６５２と連結用壁６５３等からなり、上下回動用突壁６５１、６５２には前記上部回動支持部材４の連結孔４００、４００に対応して回動用孔（図示せず。）が形成され、連結ピン６００を、連結孔４００、４００、回動用孔に挿通し、抜け止めピンにて抜け止めを行ない上部回動支持部材４と連結される。
すなわち、レール部材６０の戸尻側端部は戸枠１に回動自在に連結される。
【００３０】
又、ラッチ係合部材６４は、上部保持部材５０に取り付けられたラッチ部材７に係脱自在となる係合軸部６４１と、係合軸部６４１の戸先側端部に回転自在に設けられたゴム製の圧接用ローラー６４２等より構成され、ラッチ部材７との係止状態で、上部保持部材５０に保持された状態となる。
【００３１】
上部保持部材５０は、 閉鎖側縦枠１１の上部内面にネジ止め連結される連結用側壁５０１と、連結用側壁５０１の室内側端部から戸尻側に突出する突出壁５０２と、突出壁５０２の戸尻側端部から室内側に突出するラッチ部材連結用壁５０３と、ラッチ部材連結用壁５０３の室内側端部の下端部で戸尻側に突出するレール部材保持用突出壁５０４と、連結用側壁５０１と突出壁５０２の上下方向中央部内面に固着され、圧接用ローラー６４２を支持するローラー支持壁５０５と、ローラー支持壁５０５の室外側前端部から下方に傾斜突出する案内傾斜壁５０６と、ローラー支持壁５０５の戸尻側端部から戸尻側に突出するラッチ部材支持壁５０７より構成されている。
【００３２】
そして、連結用側壁５０１には上下方向に所定間隔を有して、上部保持部材５０の取付高さの調節が若干可能なように上下方向の長孔が形成され、突出壁５０２の室外側面には、レール部材６０がラッチ部材７に係止された状態でレール部材６０がガタつかないよう、
前記圧接用ローラー６４２の端面が圧接するゴム製のローラー当り５２１が取り付けられ、ラッチ部材連結用壁５０３の戸尻側面には、ラッチ部材支持壁５０７の上方に位置してラッチ部材７が回動自在に連結され、ラッチ部材連結用壁５０３の閉鎖側縦枠１１側の面には逆Ｌ字形のバネ取付座５０８が設けられている。
又、ラッチ部材７とレール部材６０の係止状態が解除された時、急にレール部材６０が室外側に回動して、作業者に危険が及ばないよう、ラッチ部材７にレール部材６０が係止された状態で、上部補強部材６０４の室内側面に取付けられた磁石６５０がレール材保持用突出壁５０４の室外側面に吸着するよう構成されている。
【００３３】
ラッチ部材７は、ラッチ部材連結用壁５０３に回動自在に連結され、室外側端部の下端部に前記係合軸部６４１に係止する係止部７１１が形成された連結用係止片７１と、連結用係止片７１の上端部で戸尻側に突出する操作用突片７２より構成され、操作用突片７２の室内側端部とバネ取付座５０８の上端部間に引張りバネ７３が配設され、ラッチ部材７は常に係合軸部６４１に係止する方向に回動するよう付勢されている。
符号７４は、係合軸部６４１がレール部材６０と共に室外側に移動したときに、引張りバネ７３によって、ラッチ部材７が必要以上に回動しないよう、下端面がラッチ部材支持壁５０７に当接する回動規制部を示している。
【００３４】
そして、ラッチ部材７と係合軸部６４１の係止状態は操作部７５によって解除される。
操作部７５は、押上げ操作部材７６と、押上げ操作部材７６を上下動可能に保持する操作用保持部材７７と、押上げ操作部材７６を操作するための操作孔７８より構成されている。
押上げ操作部材７６は、上端にラッチ部材７方向（室内側方向）に突出し、操作用突片７２の室外側端部の下方に位置する押上げ突片７６１と、押上げ突片７６１の室外側端部で下方に延設された垂下片７６２と、垂下片７６２の下端部で室内側に突設された操作突片７６３と、垂下片７６２の開閉側端部で室内側に突出する補強突片７６４、７６４より構成されている。
【００３５】
操作用保持部材７７は、レール部材６０の室外側に設けられたランマパネル９０の裏面側の所定位置（ラッチ部材７に対応する個所）に固着され、前記垂下片７６２と、補強突片７６４、７６４の上下方向の中央部分を保持しており、操作孔７８はランマパネル９０の下面で操作突片７６３の下面が臨む位置に形成されている。
そして、非常時には、操作孔７８よりドライバー等を差し込んで先端を操作突片７６３の下面に当接させ上方に押し上げると、押上げ部材７６は上方に移動し、同時に押上げ突片７６１は引張りバネ７３の弾性に抗して操作用突片７２の室外側端部を押上げ、係合軸部６４１と係止部７１１の係止状態を解除し（図１７に示す状態。）、レール部材６０の戸先側端部を室外側に引き出すと、扉体３のガイド部材５のローラー５００、５００をガイド溝６０１内に嵌合した状態で、扉支持部材２と共に、連結ピン６００及び上回動支持軸４３１を回動中心として室外側に回動可能となる。
【００３６】
上記、レール部材６０、ガイド部材５、ラッチ部材７，ラッチ係合部材６４、回動用連結部材６５等を隠蔽する点検パネル９は図１７に示すように、閉鎖側縦枠１１と開放側縦枠１２の室内側面とほぼ面一で、レール部材６０を隠蔽する上部隠蔽部９１と、閉鎖状態での扉支持体２の上支持枠２２の戸先側で、扉体３の上方を隠蔽し、上部隠蔽部９１よりやや室外側に位置する下部隠蔽部９２が一体となって構成され、閉鎖側縦枠１１と開放側縦枠１２の室内側内面上端部に戸尻側と戸先側に向かって突出した点検パネル取付座９３、９３に連結ネジにて着脱自在に取付けられている。
【００３７】
本発明は、戸当たり部材８を除いては上記のように構成され、通常使用では、図１に示す閉鎖状態からレバーハンドル１１４をまわして室外側に押すと、扉体３のガイド部材５のローラー５００、５００はガイド溝６０１に嵌合しているので、この部分を回動中心として扉体の戸尻側は室内側に回動移動し、同時に、扉支持枠２と扉体３は上下枢軸３１、３２と回動自在に連結され、扉支持枠２は戸枠１に回動自在に連結されているので、扉体３は回動しながら戸尻側に移動し、やがて、扉体３の室外側面が戸当たり部材８に当接して全開姿勢となる。（図１６に示す状態。）
この時、戸尻側のローラー５００は、ガイド溝６０１の戸尻側内面に設けられた板バネ材からなる山形の全開時ストッパー６０６を戸尻側に乗り上げることで、扉体３は全開状態が維持される。（図９に示す。）
又、全開状態の扉体３を閉鎖する場合、補助取手１１５を図３の状態で戸先側に引っ張ると、弾性に抗してローラー５００は全開時ストッパー６０６を乗り越し、その後、扉体３は蓄力装置６の自閉力によって自閉する。  この時前述したようにエアーシリンダー２０によって全閉時近くでの急激な閉鎖は緩和される。
【００３８】
一方、室内側で異常が発生した場合、扉体３は、回動させながら移動させることができないので、扉支持枠２の縦枠２１を中心に扉体３は閉鎖姿勢（扉支持体２の上下支持枠２２、２３とほぼ平行な状態）のまま回動させることとなるが、この時、前記戸当たり部材８に開放途中で当接し（図１７に示す状態）、室内側に救助に入ることができる程度まで十分に開放することができない。本発明の戸当たり部材８は、特別な構成とする事でこれを解決している。
【００３９】
本発明の第１実施例の戸当たり部材８は、図１５、図１６、図１８に示すように開放側縦枠１２の室外側突縁１２４の室内側で、基枠１２１の間口側面に位置する戸当たり体取付基板８１と、戸当たり体取付基板８１の内面側の上下端部に設けられえたマグネット用吸着板８２、８２と、戸当たり体取付基板８１の上下端部に戸先側に突出して連結された戸当たり体８３より構成されている。
【００４０】
戸当たり体取付用基板８１は、室外側突縁１２４の内面側から内面補強枠１２２の戸先側面にかけて設けられた兆番取付座８４に一端が連結され、他端が取付基板８１裏面側に枢着された兆番８５によって、室外側端部を回動中心として、通常姿勢から室外側に回動自在となっている。
戸当たり体８３は、真鍮材より棒状に形成された戸当たり本体８３０と、戸当たり本体８３０の戸先側に設けられた軟質合成樹脂材よリなる戸当たり緩衝部８３１より棒状に形成され、戸当たり体取付用基板８１の戸先側面に戸先側に突出してネジ止め等によって連結されている。
符号８２１、８２１は、マグネット用吸着板８２、８２に対応して、開放側縦枠１２の上下端部に取付けられたマグネットキャッチ、符号８２２（図１６に示す。）は開放側縦枠１２の上下端部に取付けられたクッション材を示している。
【００４１】
第１実施例の戸当たり部材８は上記のように構成され、通常使用では、マグネットキャッチ８２１にマグネット用吸着板８２、８２が吸着して、戸当たり体取付用基板８１は基枠１２１と平行な姿勢に保持され、従って、戸当たり体８３は閉鎖状態の扉体３と平行に戸先側に突出している。
したがって、通常使用で、扉体３が開放されたときは、扉体３の室外側面が、図１６に示すように室外側方向から戸当たり体８３の戸先側端面に当接し扉体３は全開姿勢となる。
一方、室内で非常事態が発生し、室外側から緊急に扉体３を開放する必要が生じたときは、前述したように、操作孔７８よりドライバー等を差し込んで、係合軸部６４１と係止部７１１の係止状態を解除し（図１７に示す状態。）、レール部材６０の戸先側端部を室外側に引き出す、すると扉体３も扉支持部材２と共に、連結ピン６００及び上回動支持軸４３１を回動中心として室外側に回動し、やがて、扉体３の室外側面は室内側から戸当たり体８３に当接し、更なる扉体３の開放によって、戸当たり体取付用基板８１は、室外側端部を回動中心として、戸当たり体３と共に室外側に回動する。すなわち、戸当たり体８３は、扉体３の開放が可能な位置に移動する事となる。（図１８に示す状態。）
【００４２】
次に、本発明の第２実施例の戸当たり部材８は、図１９、図２０に示すように、戸当たり体８３と、戸当たり体８３の戸尻側端面に連結された戸当たり体取付板８６より構成されている。
戸当たり体８３は第１実施例と同様棒状に形成され、戸当たり体取付板８６は、板バネ材にて扁平なU字型に形成され、一片が室外側突縁１２４の内面側にネジ止め等にて連結され、他片が戸当たり体８３の戸尻側端面に連結されて、閉鎖状態の扉体３と平行に戸先側に突出している。
【００４３】
そして、通常使用では、扉体３の室外側面が、図１９に示すように室外側方向から戸当たり体８３の戸先側端面に当接し扉体３は全開姿勢となる。
一方、室内で非常事態が発生した時は、第１実施例と同様にレール部材６０の戸先側端部を室外側に引き出すと扉体３の室外側面は室内側から戸当たり体８３に当接し、更なる扉体３の開放によって、戸当たり体取付板８６は、室外側端部を中心として、室内側の端部が開口するよう戸当たり体３と共に一片が戸先側に移動する。すなわち、戸当たり体８３は、扉体３の開放が可能な位置に移動する事となる。（図１８に示す状態。）
そして、レール部材６０が通常状態（係合軸部６４１と係止部７１１が係止状態）となると、戸当たり体８３は、戸当たり体取付板８６の弾性によって、元の位置に復帰する。
【００４４】
次に、本発明の第３実施例の戸当たり部材８は、図２１、図２２に示すように、戸当たり体８３のみから構成されている。
戸当たり体８３は、外側突縁１２４の内面側にネジ止め等にて連結されるコイルバネからなる弾性心棒８３２と、弾性心棒８３２を隠蔽する合成樹脂製のカバー体８３３より構成され、通常使用では、扉体３の室外側面が、図２１に示すように戸当たり体８３の戸先側端面に当接し扉体３は全開姿勢となる。
一方、室内で非常事態が発生した時は、第１の実施例と同様にレール部材６０の戸先側端部を室外側に引き出すと扉体３の室外側面は室内側から戸当たり体８３に当接し、更なる扉体３の開放によって、戸当たり体８３は、弾性心棒８３２の弾性変形によって室外側に略くの字状に変形する。すなわち、戸当たり体３は、扉体３の開放が可能な姿勢に変形する事となる。（図２２に示す状態。）
そして、レール部材６０が通常状態（係合軸部６４１と係止部７１１が係止状態）となると、戸当たり体８３は、弾性心棒８３２の弾性によって、元の姿勢に復帰する。
【図面の簡単な説明】
【００４５】
【図１】本発明の室内側からの正面図
【図２】本発明の室外からの正面図
【図３】扉体を全開した状態の平面図
【図４】非常時に扉体と共にレール部材を回動した状態の平面図
【図５】本発明の室内側からの一部きり欠き拡大正面図
【図６】図５のA部拡大図
【図７】図５のB部拡大図
【図８】図６のC―C線断面図
【図９】図７のD―D線断面図
【図１０】図５のF―F線拡大断面図
【図１１】図５のG―G線拡大断面図
【図１２】図６のE―E線断面図
【図１３】ガイド部材斜視図
【図１４】図１２のH―H線拡大断面図
【図１５】第１実施例の戸当たり部材を使用した場合の扉体の閉鎖状態での要部横断面図
【図１６】第１実施例の戸当たり部材を使用した場合の扉体の開放状態での要部横断面図
【図１７】係合軸部と係止部の係止状態を解除した状態を示す要部縦断面図
【図１８】第１実施例の戸当たり部材を使用した場合の扉体と共にレール部材を回動した状態状態での要部横断面図
【図１９】第２実施例の戸当たり部材を使用した場合の扉体の開放状態での要部横断面図
【図２０】第２実施例の戸当たり部材を使用した場合の扉体と共にレール部材を回動した状態での要部横断面図
【図２１】第３実施例の戸当たり部材を使用した場合の扉体の開放状態での要部横断面図
【図２２】第３実施例の戸当たり部材を使用した場合の扉体と共にレール部材を回動した状態での要部横断面図
【符号の説明】
【００４６】
１        戸枠
１１      閉鎖側縦枠
１２      開放側縦枠
２        扉支持枠
３        扉体
４        上部回動支持部材      
５        ガイド部材
６        蓄力装置
６０      レール部材
７        ラッチ部材
８        戸当たり部材
８１      戸当たり体取付用基板
８３      戸当たり体
【図１】
2008075369.tif 000003
【図２】
2008075369.tif 000004
【図３】
2008075369.tif 000005
【図４】
2008075369.tif 000006
【図５】
2008075369.tif 000007
【図６】
2008075369.tif 000008
【図７】
2008075369.tif 000009
【図８】
2008075369.tif 000010
【図９】
2008075369.tif 000011
【図１０】
2008075369.tif 000012
【図１１】
2008075369.tif 000013
【図１２】
2008075369.tif 000014
【図１３】
2008075369.tif 000015
【図１４】
2008075369.tif 000016
【図１５】
2008075369.tif 000017
【図１６】
2008075369.tif 000018
【図１７】
2008075369.tif 000019
【図１８】
2008075369.tif 000020
【図１９】
2008075369.tif 000021
【図２０】
2008075369.tif 000022
【図２１】
2008075369.tif 000023
【図２２】
2008075369.tif 000024